(57)【特許請求の範囲】
【請求項１】
皮膚に接触した状態で皮膚を振動させてマッサージするマッサージ部材１１と入力電源を用いて磁場を形成させて前記マッサージ部材１１を振動させる振動手段１３と前記マッサージ部材１１が一端に突設され、振動手段１３を内蔵する胴体１５とを含むマッサージ手段１０；
所定の厚みの壁が一連に組み合わされて、内部に空間を形成するとともに、一方が閉塞端であり他方が開口端であるキャップ状に形成されており、前記マッサージ手段１０の胴体１５の一端に脱着可能に固定され、前記開口端から挿入される前記マッサージ部材１１の先端を前記空間に収納しカバーして保護する蓋３０；及び
前記蓋３０の内部の前記空間のうち、前記マッサージ部材１１の先端が収容され前記開口端に隣接する収容領域を除く、前記閉塞端側の領域に内蔵され、使用者からの押圧による外圧によって前記マッサージ部材１１に一定量の、美容に用いるマッサージ用顔料であり皮膚に塗布可能でありマッサージにより皮膚に浸透可能な美容原料を供給する美容原料供給手段５０；を含み、
前記蓋３０の閉塞端には通気孔３１が形成されており、
前記マッサージ部材１１は、
前記振動手段１３に対向し、前記振動部材の先端が挿入可能な孔部が形成されており、前記振動手段１３が前記孔部に脱着可能に挿入されて結合される挿入部１１ａ；
前記挿入部１１ａの前記孔部が形成されている側とは反対方向に、前記挿入部１１ａに隣接する基部から先端に向かって延設されて、前記先端が前記胴体１５から突出して皮膚に接触するマッサージ部１１ｂ；及び
前記マッサージ部１１ｂの先端に形成され、前記美容原料供給手段５０から供給される美容原料を収容する孔状の収容部１１ｃ；を含み、
前記美容原料供給手段５０は、
前記蓋３０の前記空間の前記閉塞端と前記開口端との間に設置され、前記空間の前記閉塞端と前記開口端とを仕切る仕切壁からなり、前記仕切壁と、前記仕切壁から前記閉塞端側の前記蓋３０の壁とにより囲まれる空間によって美容原料が貯蔵される貯蔵空間５１ａを形成し、前記仕切壁に形成されており、前記貯蔵空間５１ａに貯蔵された美容原料が移動可能な中空を有する密閉部材５１；
前記蓋３０の内側の前記貯蔵空間５１ａに前記閉塞端から前記開口端側に移動可能に設けられ、前記貯蔵空間５１ａに貯蔵された美容原料の移動によって、前記蓋３０の前記通気孔３１を介して前記貯蔵空間５１ａに流入する大気圧によって移動する押し板５２；
前記密閉部材５１の前記蓋３０の前記開口端に面する側に設置され、使用者からの押圧による外圧によって前記貯蔵空間５１ａに貯蔵された美容原料の一部である所定量を前記貯蔵空間５１ａからポンピングするエアレスポンプ５３；及び
前記エアレスポンプ５３によって前記貯蔵空間５１ａからポンピングされる所定量の美容原料を、前記前記マッサージ部材１１の孔状の収容部１１ｃに排出する排出部材５５；を有する、マッサージ器。
【請求項２】
前記振動手段１３は、
前記マッサージ部材１１が一端に脱着可能に結合され、他端に永久磁石１３１ａが一体的に固定された状態で前記胴体１５に振動可能に固定された振動部材１３１；
前記振動部材１３１に磁場を提供して振動部材１３１を振動させるように一定の周波数を発振させる周波数発振器１３３ａと前記周波数発振器１３３ａの発振電圧が入力される１次側コイル１３３ｂと前記１次側コイル１３３ｂを通じて入力された発振電圧を設定された巻線比によって増幅させ、増幅された交流電圧を前記永久磁石１３１ａに提供する２次側コイル１３３ｃとからなったトランス１３３；及び
前記トランス１３３が前記永久磁石１３１ａに引力及び斥力を提供して前記マッサージ部材１１が振動するように、入力電源を前記トランス１３３に提供して前記トランス１３３を制御する制御部１３５；を含むことを特徴とする、請求項１に記載のマッサージ器。
【請求項３】
前記振動部材１３１を前記胴体１５に振動可能に固定する固定手段１３７；をさらに含み、
前記固定手段１３７は、
前記胴体１５の一端に形成され、前記振動部材１３１の端部が挿入される孔状の挿入部１３７ａ；及び
前記挿入部１３７ａの内側面から突出して前記振動部材１３１に嵌合された状態で前記挿入部１３７ａの内側面に固定される軟質の固定リング１３７ｂ；を含み、
前記振動部材１３１は、前記挿入部１３７ａの内側面から突出している固定リング１３７ｂに支持されることで、前記挿入部１３７ａの内側面とは接触しないことを特徴とする、請求項２に記載のマッサージ器。
【請求項４】
前記エアレスポンプ５３は、
前記蓋３０の内側に挿入されて前記密閉部材５１の一端に固定され、内部に形成されるポンピング室５３１ａとポンピング室５３１ａの両側に貫通状態で形成される流入口５３１ｂ及び吐出口５３１ｃとを持つ固定体５３１；
前記固定体５３１の流入口５３１ｂ側に設けられ、貯蔵空間５１ａに貯蔵された美容原料を前記ポンピング室５３１ａに吸入させる吸入バルブ５３３；
前記固定体５３１の吐出口５３１ｃ側に設けられ、前記ポンピング室５３１ａに吸入された美容原料を前記吐出口５３１ｃに排出させる排出バルブ５３５；及び
前記ポンピング室５３１ａに内蔵された弾性体５３４に弾支され、前記固定体５３１に貫通して設置され、外圧によって押されて前記貯蔵空間５１ａに貯蔵された美容原料をポンピングするボタン５３７；を含むことを特徴とする、請求項１に記載のマッサージ器。
【請求項５】
皮膚に接触した状態で皮膚を振動させてマッサージするマッサージ部材１１と前記マッサージ部材１１に駆動力を加えて前記マッサージ部材１１を直線移動させるとか回転させることで振動させる振動手段１００と前記マッサージ部材１１が一端に突設され、振動手段１３を内蔵する胴体１５とを含むマッサージ手段１０；
所定の厚みの壁が一連に組み合わされて、内部に空間を形成するとともに、一方が閉塞端であり他方が開口端であるキャップ状に形成されており、前記マッサージ手段１０の胴体１５の一端に脱着可能に固定され、前記開口端から挿入される前記マッサージ部材１１の先端を前記空間に収納しカバーして保護する蓋３０；及び
前記蓋３０の内部の前記空間のうち、前記マッサージ部材１１の先端が収容され前記開口端に隣接する収容領域を除く、前記閉塞端側の領域に内蔵され、使用者からの押圧による外圧によって前記マッサージ部材１１に一定量の、美容に用いるマッサージ用顔料であり皮膚に塗布可能でありマッサージにより皮膚に浸透可能な美容原料を供給する美容原料供給手段５０；を含み、
前記蓋３０の閉塞端には通気孔３１が形成されており、
前記マッサージ部材１１は、
前記振動手段１３に対向し、前記振動部材の先端が挿入可能な孔部が形成されており、前記振動手段１３が前記孔部に脱着可能に挿入されて結合される挿入部１１ａ；
前記挿入部１１ａの前記孔部が形成されている側とは反対方向に、前記挿入部１１ａに隣接する基部から先端に向かって延設されて、前記先端が前記胴体１５から突出して皮膚に接触するマッサージ部１１ｂ；及び
前記マッサージ部１１ｂの先端に形成され、前記美容原料供給手段５０から供給される美容原料を収容する孔状の収容部１１ｃ；を含み、
前記美容原料供給手段５０は、
前記蓋３０の前記空間の前記閉塞端と前記開口端との間に設置され、前記空間の前記閉塞端と前記開口端とを仕切る仕切壁からなり、前記仕切壁と、前記仕切壁から前記閉塞端側の前記蓋３０の壁とにより囲まれる空間によって美容原料が貯蔵される貯蔵空間５１ａを形成し、前記仕切壁に形成されており、前記貯蔵空間５１ａに貯蔵された美容原料が移動可能な中空を有する密閉部材５１；
前記蓋３０の内側の前記貯蔵空間５１ａに前記閉塞端から前記開口端側に移動可能に設けられ、前記貯蔵空間５１ａに貯蔵された美容原料の移動によって、前記蓋３０の前記通気孔３１を介して前記貯蔵空間５１ａに流入する大気圧によって移動する押し板５２；
前記密閉部材５１の前記蓋３０の前記開口端に面する側に設置され、使用者からの押圧による外圧によって前記貯蔵空間５１ａに貯蔵された美容原料の一部である所定量を前記貯蔵空間５１ａからポンピングするエアレスポンプ５３；及び
前記エアレスポンプ５３によって前記貯蔵空間５１ａからポンピングされる所定量の美容原料を、前記前記マッサージ部材１１の孔状の収容部１１ｃに排出する排出部材５５；を有することを特徴とする、マッサージ器。
【請求項６】
前記振動手段１３は、
前記胴体１５に往復直線移動及び回転可能に内蔵されたシャフト１３２；
前記シャフト１３２を往復直線移動させる直線駆動部１３４；及び
前記シャフト１３２を往復回転させる回転駆動部１３６；を含む、請求項５に記載のマッサージ器。
【請求項７】
前記直線駆動部１３４は、
前記シャフト１３２の軸方向に両端面の極性が相異なるように取り付けられ、シャフト１３２に嵌合されて固定された第１永久磁石１３４ａを持つ第１可動子；及び
前記第１永久磁石１３４ａに設定された間隔で対向するように前記胴体１５に固定され、入力される交流によって磁界を発生させる第１コイル１３４ｂを持つ第１固定子；
前記回転駆動部１３６は、
前記シャフト１３２に固定された少なくとも一つの第２永久磁石１３６ａを持つ第２可動子；及び
前記第２永久磁石１３６ａを取り囲むように前記シャフト１３２の周囲に巻き付けられた状態で前記胴体１５に固定され、入力される交流によって磁界を発生させる第２コイル１３６ｂを持つ第２固定子；を含む、請求項６に記載のマッサージ器。
【発明の詳細な説明】
【技術分野】
【０００１】
本発明は蓋から供給されるマッサージ用原料が準備された状態で必要時に一定量の美容原料を排出してマッサージすることができるマッサージ器に関するものである。
【背景技術】
【０００２】
一般に、美しくてきれいな顔面皮膚を得るために努力することは女性たちの持続的な関心事である。近年には、女性の専有物であった皮膚の美容が男性たちにまで拡がり、老若男女を問わずに顔の皮膚美容に対する関心度が高くなっている実情である。
【０００３】
このような顔の皮膚美容法としては、しわ除去、皮脂除去、栄養供給などが行われている。
【０００４】
ここで、マスクパックは安価で家庭で手軽に使うことができるのでたくさん用いられている実情である。このようなマスクパックは不織布や紙または布などを顔の形状に裁断したもので、マッドや黄土の原料とともに顔に付着される場合、毛孔に積もっている皮脂と老廃物を除去し、アロエやキュウリまたは果物の原料とともに顔に付着される場合、水分と栄養を供給する機能をしている。
【０００５】
しかし、マスクパックは顔に付着されて固定された状態なので、原料が皮膚に接触するようにすることはできるが、原料が皮膚に容易に浸透するように皮膚をマッサージすることはできない。よって、使用者はマスクパックを付着した状態で指やマッサージ器で顔をマッサージしなければならない面倒な問題点がある。
【０００６】
また、目もとのしわ除去のための方法としては、アイクリームやセラムなどの原料を目もとに塗った後、指でたたくとかマッサージ器で目もとをマッサージすることで、原料が目もとの皮膚に染みこむようにすることができる。
【０００７】
しかし、使用者が顔を指でたたく場合、指に原料が付くようになる不便な問題点がある。さらに、使用者はマッサージ器を用いるために、アイクリームと一緒にマッサージ器を別に購買しなければならない面倒な問題点がある。
【発明の概要】
【発明が解決しようとする課題】
【０００８】
本発明はこのような問題点を解決するためになされたもので、美容原料を収容した蓋を用いてマッサージ部材を外部から保護するとともに、必要時に蓋に収容された美容原料をマッサージ部材に一定量だけ提供し、提供された美容原料とともにマッサージするだけではなく、マッサージ部材を入れ替ることができるマッサージ器を提供することを目的とする。
【課題を解決するための手段】
【０００９】
前述した目的を達成するための本発明は、皮膚に接触した状態で皮膚を振動させてマッサージするマッサージ部材１１と入力電源を用いて磁場を形成させて前記マッサージ部材１１を振動させる振動手段１３と前記マッサージ部材１１が一端に突設され、振動手段１３を内蔵する胴体１５とを含むマッサージ手段１０；前記マッサージ手段１０の胴体１５の一端に脱着可能に固定され、前記マッサージ部材１１をカバーして保護する蓋３０；及び前記蓋３０の内側に内蔵され、外圧によって前記マッサージ部材１１に一定量の美容原料を供給する美容原料供給手段５０；を含む。
【００１０】
前記マッサージ部材１１は、前記振動手段１３に脱着可能に結合されるように孔状に形成される挿入部１１ａ；前記挿入部１１ａの反対方向に延設されて皮膚に接触するマッサージ部１１ｂ；及び前記マッサージ部１１ｂの端部に形成され、前記美容原料供給手段５０から供給される美容原料を収容する孔状の収容部１１ｃ；を含む。
【００１１】
前記振動手段１３は、前記マッサージ部材１１が一端に脱着可能に結合され、他端に永久磁石１３１ａが一体的に固定された状態で前記胴体１５に振動可能に固定された振動部材１３１；前記振動部材１３１に磁場を提供して振動部材１３１を振動させるように一定の周波数を発振させる周波数発振器１３３ａと前記周波数発振器１３３ａの発振電圧が入力される１次側コイル１３３ｂと前記１次側コイル１３３ｂを通じて入力された発振電圧を設定された巻線比によって増幅させ、増幅された交流電圧を前記永久磁石１３１ａに提供する２次側コイル１３３ｃとからなったトランス１３３；及び前記トランス１３３が前記永久磁石１３１ａに引力及び斥力を提供して前記マッサージ部材１１が振動するように、入力電源を前記トランス１３３に提供して前記トランス１３３を制御する制御部１３５；を含む。
【００１２】
前記振動部材１３１を前記胴体１５に振動可能に固定する固定手段１３７；をさらに含み、前記固定手段１３７は、前記胴体１５の一端に形成され、前記振動部材１３１の端部が離隔状態で挿入される孔状の挿入部１３７ａ；及び前記振動部材１３１に嵌合された状態で前記挿入部１３７ａの内側面に固定される軟質の固定リング１３７ｂ；を含む。
【００１３】
前記美容原料供給手段５０は、前記蓋３０の内部に美容原料が貯蔵される貯蔵空間５１ａが形成されるように蓋３０の開口部に設置され、貯蔵空間５１ａに貯蔵された美容原料が移動する中空の密閉部材５１；前記蓋３０の内側に移動可能に設けられ、前記貯蔵空間５１ａに貯蔵された美容原料の移動によって貯蔵空間５１ａに流入する大気圧によって移動する押し板５２；前記密閉部材５１の一端に設置され、外圧によって貯蔵空間５１ａに貯蔵された美容原料をポンピングするエアレスポンプ５３；及び前記エアレスポンプ５３によってポンピングされる美容原料を排出する排出部材５５；を含む。
【００１４】
前記エアレスポンプ５３は、前記蓋３０の内側に挿入されて前記密閉部材５１の一端に固定され、内部に形成されるポンピング室５３１ａとポンピング室５３１ａの両側に貫通状態で形成される流入口５３１ｂ及び吐出口５３１ｃとを持つ固定体５３１；前記固定体５３１の流入口５３１ｂ側に設けられ、貯蔵空間５１ａに貯蔵された美容原料を前記ポンピング室５３１ａに吸入させる吸入バルブ５３３；前記固定体５３１の吐出口５３１ｃ側に設けられ、前記ポンピング室５３１ａに吸入された美容原料を前記吐出口５３１ｃに排出させる排出バルブ５３５；及び前記ポンピング室５３１ａに内蔵された弾性体５３４に弾支され、前記固定体５３１に貫通して設置され、外圧によって押されて前記貯蔵空間５１ａに貯蔵された美容原料をポンピングするボタン５３７；を含む。
【発明の効果】
【００１５】
本発明は蓋によってマッサージ部材が外部から保護され、美容原料が蓋に一緒に収容されるので、必要時に蓋に収容された美容原料をマッサージ部材に一定量だけ提供し、提供された美容原料とともに振動でマッサージするだけではなく、別に美容原料を購買しなくても良い利点があり、マッサージ部材が結合方式で着脱されるので、マッサージ部材を必要によって容易に入れ替ることができる。
【図面の簡単な説明】
【００１６】
【図１】本発明の斜視図である。
【図２】図１の分離された状態を示した分解斜視図である。
【図３】図１の内部を示した断面図である。
【図４】図３の分離する過程を示した断面図である。
【図５】本発明によって美容原料が供給される状態を示した部分断面図である。
【図６】図５の動作後の状態を示した図である。
【図７】本発明の他の実施例による振動手段の構成を示した断面図である。
【発明を実施するための形態】
【００１７】
以下、添付図面に基づいて本発明を説明すれば次のようである。
【００１８】
本発明は、図２及び図３を参照すれば、マッサージ手段１０、蓋３０、及び美容原料供給手段５０を含む。
【００１９】
マッサージ手段１０は、例えばマッサージ部材１１、振動手段１３及び胴体１５を含んでなる。
【００２０】
マッサージ部材１１は、図４の右側に示したように、皮膚に接触した状態で皮膚を振動させてマッサージするためのもので、例えば挿入部１１ａ、マッサージ部１１ｂ及び収容部１１ｃを含む。
【００２１】
挿入部１１ａは後述する振動手段１３の振動部材１３１に脱着可能に結合されるように孔状に形成される。
【００２２】
マッサージ部１１ｂは挿入部１１ａの反対方向に延設されて皮膚に接触する部材で、皮膚に接触してスムーズにマッサージするように軟質の合成樹脂材から構成されることが好ましい。また、使用者は、マッサージ部材１１が長期間の使用によって摩耗した場合、マッサージ部材１１を振動手段１３の振動部材１３１から分離させた後、新しいマッサージ部材１１を振動手段１３に結合して使うことができる。
【００２３】
収容部１１ｃはマッサージ部１１ｂの端部に形成され、美容原料供給手段５０から供給される美容原料が収容される孔状に構成される。
【００２４】
一方、マッサージ部材１１は、図３に拡大して示したように、端部に突起１１１を形成して皮膚を刺激することもできる。
【００２５】
振動手段１３は入力電源を用いて磁場を形成させてマッサージ部材１１を振動させるためのもので、例えば振動部材１３１、トランス１３３及び制御部１３５を含んでなる。
【００２６】
振動部材１３１は、マッサージ部材１１が一端に脱着可能に結合され、他端に永久磁石１３１ａが一体的に固定された状態で胴体１５に振動可能に固定されるもので、硬質からなるとともにシャフト形に形成される。
【００２７】
トランス１３３は振動部材１３１に磁場を提供して振動部材１３１を振動させるためのもので、例えば周波数発振器１３３ａ、１次側コイル１３３ｂ及び２次側コイル１３３ｃからなる。
【００２８】
周波数発振器１３３ａは入力電源を用いて一定の周波数を発振させる。ここで、入力電源は電源部１３８によって供給することができる。このような電源部１３８は、電流が充電される蓄電池１３８ａと、蓄電池１３８ａに外部から供給される電流を充電させる充電ユニット１３８ｂとからなることができる。これとは異なり、電源部１３８は外部電源を印加する電源線または乾電池からなることもできる。
【００２９】
１次側コイル１３３ｂは周波数発振器１３３ａの発振電圧を受ける。
【００３０】
２次側コイル１３３ｃは１次側コイル１３３ｂを通じて入力された発振電圧を設定された巻線比によって増幅させ、増幅された交流電圧を永久磁石１３１ａに提供する。ここで、１次側コイル１３３ｂ及び２次側コイル１３３ｃはフェライトコア１３６を取り囲むように設置されることによって、発生する磁場がフェライトコア１３６によって胴体１５の一端を除いた外側に放出されない。
【００３１】
制御部１３５は、トランス１３３が永久磁石１３１ａに磁場を提供して振動部材１３１を振動させるように、入力電源をトランス１３３に提供してトランス１３３を制御する。ここで、制御部１３５は、入力電源を周波数発振器１３３ａに印加するように、図２に示したスイッチ１３２が連結されることが好ましい。このようなスイッチ１３２は使用者が切換操作させることができるように、前述した胴体１５の外部に露出状態に設置されることが好ましい。
【００３２】
胴体１５は、マッサージ部材１１が一端に突出する状態で設置され、振動手段１３を内蔵するように箱状に形成される。この際、胴体１５は、他端が開口して振動手段１３その他の部品を内蔵することができ、栓１３４によって他端が閉鎖されることができる。
【００３３】
また、胴体１５は、振動部材１３１を胴体１５に振動可能に固定する固定手段１３７をさらに含む。
【００３４】
このような固定手段１３７は、例えば挿入部１３７ａ及び固定リング１３７ｂを含んでなる。
【００３５】
挿入部１３７ａは、図４に示したように、胴体１５の一端に形成され、振動部材１３１の端部が離隔状態で挿入されるように孔状に形成される。
【００３６】
固定リング１３７ｂは振動部材１３１に嵌合された状態で挿入部１３７ａの内側面に固定されるように軟質ゴム材からなる。よって、固定リング１３７ｂは、振動部材１３１が挿入部１３７ａに接触しないようにしながら振動するようにやんわりと固定させることができる。
【００３７】
蓋３０は、図３及び図４に示したように、マッサージ手段１０の胴体１５の一端に脱着可能に固定されてマッサージ部材１１をカバーして保護するようにキャップ状に形成される。ここで、蓋３０は、後述する貯蔵空間５１ａに貯蔵された美容原料が貯蔵空間５１ａから移動するように通気孔３１が形成されることができる。このような通気孔３１は蓋３０の上端に垂直方向にまたは側方に形成されることができる。また、通気孔３１は、異物の流入を防止するために、通気可能な網（図示せず）が設置されることもできる。
【００３８】
美容原料供給手段５０は蓋３０の内側に内蔵され、外圧によってマッサージ部材１１に一定量の美容原料を供給するためのもので、例えば密閉部材５１、押し板５２、エアレスポンプ５３及び排出部材５５を含んでなる。
【００３９】
密閉部材５１は、蓋３０の内部に美容原料が貯蔵される貯蔵空間５１ａが形成されるように、蓋３０の開口部に設置され、貯蔵空間５１ａに貯蔵された美容原料が通過するように中空が形成される。
【００４０】
押し板５２は蓋３０の内側に移動可能に設けられ、貯蔵空間５１ａに貯蔵された美容原料の移動によって、蓋３０に穿設された通気孔３１を通じて貯蔵空間５１ａに流入する大気圧によって移動する。
【００４１】
エアレスポンプ５３は密閉部材５１の一端に設置され、外圧によって貯蔵空間５１ａに貯蔵された美容原料をポンピングするためのもので、例えば固定体５３１、吸入バルブ５３３、排出バルブ５３５、及びボタン５３７を含んでなる。
【００４２】
固定体５３１は蓋３０の内側に挿入されて密閉部材５１の一端に固定され、内部に形成されるポンピング室５３１ａと、ポンピング室５３１ａの両側に貫通状態で形成される流入口５３１ｂ及び吐出口５３１ｃとを持つ。
【００４３】
吸入バルブ５３３は固定体５３１の流入口５３１ｂ側に設けられ、貯蔵空間５１ａに貯蔵された美容原料をポンピング室５３１ａに吸入させる。
【００４４】
排出バルブ５３５は固定体５３１の吐出口５３１ｃ側に設けられ、ポンピング室５３１ａに吸入された美容原料を吐出口５３１ｃに排出させる。ここで、前述した吸入バルブ５３３と排出バルブ５３５は一方向に美容原料を移動させるチェックバルブからなることが好ましい。
【００４５】
ボタン５３７はポンピング室５３１ａに内蔵された弾性体５３４に弾支され、固定体５３１に貫通設置され、外圧によって押されながら貯蔵空間５１ａに貯蔵された美容原料をポンピングする。
【００４６】
このようなボタン５３７は、ポンピング室５３１ａに挿入される場合、排出バルブ５３５を作動させてポンピング室５３１ａの美容原料を排出部材５５に排出させ、ポンピング室５３１ａから突出する場合、吸入バルブ５３３を作動させて貯蔵空間５１ａの美容原料をポンピング室５３１ａに吸入させる。よって、ボタン５３７はいつも一定量の美容原料をポンピングする。
【００４７】
排出部材５５は、エアレスポンプ５３によってポンピングされる美容原料を排出するために、中空が形成される。このような排出部材５５はボタン５３７のポンピングによって排出される一定量の美容原料を前述したマッサージ部材１１の収容部１１ｃに提供する。
【００４８】
以下、本発明の動作及び作用を説明する。
【００４９】
まず、使用者は、図１に示したように、蓋３０が分離されていない状態の胴体１５を把持した状態で、図５に示したように、蓋３０のボタン５３７を押圧する。この際、ボタン５３７は弾性体５３４を押圧しながらポンピング室５３１ａに挿入されてポンピング室５３１ａの内圧を上昇させる。よって、排出バルブ５３５は、ポンピング室５３１ａで押圧される美容原料を排出部材５５に排出させる。そして、美容原料はマッサージ部材１１の収容部１１ｃに収容される。
【００５０】
また、ボタン５３７は、図６に示したように、使用者が押圧を解除する場合、ポンピング室５３１ａから外部に移動してポンピング室５３１ａの内圧を下降させる。よって、吸入バルブ５３３は貯蔵空間５１ａの美容原料をポンピング室５３１ａに移動させる。
【００５１】
ついで、使用者は、図２に示したように、胴体１５から蓋３０を分離させた状態でスイッチ１３２を作動させる場合は、図４の左側に示したように、制御部１３５の制御によって電源部１３８から電源が周波数発振器１３３ａに提供される。この際、周波数発振器１３３ａは入力電源を用いて一定の周波数を発振させる。ついで、１次側コイル１３３ｂは周波数発振器１３３ａの発振電圧を受ける。よって、２次側コイル１３３ｃは入力された発振電圧を増幅させ、増幅された交流電圧を永久磁石１３１ａに提供する。
【００５２】
この際、永久磁石１３１ａは増幅された交流電圧によって発生する磁場によって引力及び斥力が発生することによって振動する。また、振動部材１３１は磁場によって振動する永久磁石１３１ａと一緒に固定リング１３７ｂを中心に振動する。よって、マッサージ部材１１は振動部材１３１の端部に結合された状態で皮膚を振動で刺激する。
【００５３】
このように、本発明は、使用者が蓋３０に収容された美容原料をマッサージ部材１１に供給した後、マッサージ部材１１を皮膚に接触させた状態でマッサージする動作で美容原料を皮膚に塗りながら皮膚を振動で刺激して皮膚をマッサージすることができる。
【００５４】
一方、前述したものとは異なり、図２に示したように、蓋３０が分離された胴体１５を把持し、美容原料が提供されない状態でマッサージ部材１１を振動させて振動だけでマッサージすることもできる。
【００５５】
また、使用者は、図２に拡大して示したように、端部に突起が形成され、あるいはこれとは異なり、ブラシ形態に形成されたマッサージ部材１１を振動部材１３１に入れ替え可能に装着して使うこともできる。
【００５６】
一方、本発明の他の実施例の構成及び動作を説明する。
【００５７】
まず、マッサージ手段１０のマッサージ部材１１、蓋３０及び美容原料供給手段５０は前述したものと同様に構成されるので、その詳細な説明は省略する。
【００５８】
そして、振動手段１３は、図７を参照すれば、両端にベアリングＲ１、Ｒ２を持つシール１５ａ、１５ｂが設置された胴体１５の内部空間に設けられ、マッサージ部材１１に駆動力を加えてマッサージ部材１１を直線移動させるとか回転させることによって振動させるためのもので、例えばシャフト１３２、直線駆動部１３４及び回転駆動部１３６を含んでなる。
【００５９】
シャフト１３２は胴体１５に往復直線移動及び回転可能に内蔵される。ここで、シャフト１３２は漏洩を防止するように非磁性体から構成され、シール１５ａ、１５ｂに挿入されて固定されるので防水可能である。また、シャフト１３２は、ベアリングＲ１、Ｒ２によって容易に回転及び移動することができる。
【００６０】
直線駆動部１３４はシャフト１３２を往復直線移動させるためのもので、例えば第１可動子及び第１固定子を含んでなる。
【００６１】
第１可動子は、シャフト１３２の軸方向に両端の極性が相異なるように取り付けられてシャフト１３２に嵌合されて固定された第１永久磁石１３４ａを持つ。ここで、第１永久磁石１３４ａは、複数で構成されてシャフト１３２に嵌合され、両端にヨーク１３４ｄが固定されたスペーサ１３４ｃによって固定設置される。このような複数の第１永久磁石１３４ａは互いに対向する面の極性が同一になるようにシャフト１３２に固定される。すなわち、一つの第１永久磁石１３４ａは、一側端面がＳ極で他側端面がＮ極の場合、他の一つの第１永久磁石１３４ａは、一側端面がＮ極で他側端面がＳ極となる。このように、複数の第１永久磁石１３４ａは一つのシャフト１３２に軸方向に併設されるので、大きな磁束を発生させることができる。
【００６２】
第１固定子は、第１永久磁石１３４ａに設定された間隔で対向するように前記胴体１５に固定され、入力される交流によって磁界を発生させる第１コイル１３４ｂを持つ。ここで、第１コイル１３４ｂは胴体１５に内蔵された第１ボビン１３４ｅに巻き付けられる。このような第１コイル１３４ｂは、一方向に電流が入力される場合、第１永久磁石１３４ａが一方向に移動するので、シャフト１３２が一方向に移動することができる。よって、第１コイル１３４ｂは、交流が入力される場合、シャフト１３２を直線往復移動させることができる。
【００６３】
このような直線駆動部１３４はシャフト１３２を往復移動させるので、シャフト１３２に結合されたマッサージ部材１１が皮膚をたたく効果がある。
【００６４】
回転駆動部１３６はシャフト１３２を往復回転させるためのもので、例えば第２可動子及び第２固定子を含んでなる。
【００６５】
第２可動子は、シャフト１３２に固定された少なくとも一つの第２永久磁石１３６ａを持つ。ここで、複数の第２永久磁石１３６ａは、平板状に形成され、シャフト１３２に固定結合された固定部材１３６ｃの外側に固定設置される。この際、第２永久磁石１３６ａは後述する第２コイル１３６ｂより長く構成されることが好ましい。
【００６６】
第２固定子は、第２永久磁石１３６ａを取り囲むように前記シャフト１３２の周囲に巻き付けられた状態で前記胴体１５に固定され、入力される交流によって磁界を発生させる第２コイル１３６ｂを持つ。ここで、第２コイル１３６ｂは胴体１５に内蔵された第２ボビン１３６ｃに巻き付けられる。また、第２コイル１３６ｂは複数のヨーク１３６ｄを備えている。
【００６７】
第２コイル１３６ｂは、一方向に電流が入力されることによって一つのヨーク１３６ｄがＮ極となり、他のヨーク１３６ｄがＳ極となるので、シャフト１３２を一方向に回転させることができる。また、第２コイル１３６ｂは、逆方向に電流が入力される場合、シャフト１３２を反対方向に回転させることができる。よって、第２コイル１３６ｂは、交流が入力される場合、第２永久磁石１３６ａを往復回転させるようになるので、シャフト１３２は往復回転することができる。
【００６８】
このような回転駆動部１３６はシャフト１３２を往復回転させるので、シャフト１３２に結合されたマッサージ部材１１が皮膚を擦る効果がある。
【００６９】
一方、胴体１５には、図示のように、複数のスプリングＳとウェイト１３８が設置される。
【００７０】
このような、複数のスプリングＳは直線移動するとか回転するシャフト１３２を弾支する。特に、ウェイト１３８は複数のスプリングＳの間に設置され、直線移動するとか回転するシャフト１３２に反力を提供することにより、シャフト１３２の振動を減少させることができる。
【００７１】
このような振動手段１３は、シャフト１３２を直線移動または回転させることによってシャフト１３２を振動させるので、使用者の皮膚を多様に刺激しながらマッサージすることができる。
【００７２】
前述した実施例は本発明の好適な実施例を説明したものに過ぎないので、本発明の適用範囲はこのようなものに限定されなく、同一思想の範疇内で適切な変更が可能である。よって、本発明の実施例に開示された各構成要素の形状及び構造は変形して実施することができるので、このような形状及び構造の変形は添付の本発明の請求範囲に属するものであるのは言うまでもない。
【符号の説明】
【００７３】
１０    マッサージ手段
３０    蓋
５０    美容原料供給手段
【図１】
0005820527.tif 000002
【図２】
0005820527.tif 000003
【図３】
0005820527.tif 000004
【図４】
0005820527.tif 000005
【図５】
0005820527.tif 000006
【図６】
0005820527.tif 000007
【図７】
0005820527.tif 000008